(57)【要約】【課題】据え付け後において室内機と部屋の壁面との間のスペースを小さく見えるようにして、部屋の美観が損なわれないようにする。【解決手段】この室内機は、前面パネル５２が前面に配置されたケーシング５０を備えた室内機であって、ケーシング５０は、右側面部５７及び左側面部５８にそれぞれ配置され、互いに略平行に設けられた一対の平面部５７ａ及び５８ａと、右側面部５７及び左側面部５８において平面部５７ａ及び５８ａから延在すると共に、ケーシング５０の長手方向（Ｘ方向）外側に向かって突出した飾り板５３とを備えている。【選択図】図６
2011094838.tif 000002
【特許請求の範囲】
【請求項１】
前面パネルが前面に配置されたケーシングを備えた室内機であって、
前記ケーシングは、長手方向両端部に設けられ、奥側に対して手前側が長手方向外側に向かって突出する突出部を備えることを特徴とする、室内機。
【請求項２】
正面視において、前記突出部は、上下方向に関して、少なくとも前記前面パネルに対応した範囲に設けられることを特徴とする、請求項１に記載の室内機。
【請求項３】
長手方向両端部にそれぞれ配置され、互いに略平行に設けられた一対の平面部を有し、
前記突出部は、前記平面部と前記前面パネルとの間に設けられることを特徴とする、請求項１又は２に記載の室内機。
【請求項４】
正面視において、前記突出部は、前記ケーシングの長手方向外側に向かって凸状に湾曲していることを特徴とする、請求項１〜３のいずれか１項に記載の室内機。
【請求項５】
前記突出部の突出量は、前記前面パネルから離れるにつれて小さくなることを特徴とする、請求項１〜４のいずれか１項に記載の室内機。
【請求項６】
側面視において、前記突出部の奥側の端部は、前記前面パネルから離れる方向に向かって凸状になっていることを特徴とする、請求項１〜５のいずれか１項に記載の室内機。
【請求項７】
前記ケーシングは、前記長手方向両端部に対して着脱可能な飾り板を含んでおり、
前記飾り板は、前記長手方向両端部に取り付けられることで前記突出部となる部分を形成することを特徴とする、請求項１〜６のいずれか１項に記載の室内機。
【請求項８】
前記ケーシングの長手方向両端部には、第１係合部が設けられていると共に、
前記飾り板の裏面には、前記第１係合部に係合する第２係合部が設けられており、
前記第１係合部と前記第２係合部との係合方向は、上下方向に対して傾斜していることを特徴とする、請求項７に記載の室内機。
【発明の詳細な説明】
【技術分野】
【０００１】
本発明は、室内機に関し、特に、部屋の壁面に取り付けて使用される室内機に関する。
【背景技術】
【０００２】
従来、部屋の壁面に据え付けられた室内機が部屋環境に調和するデザインとなるように、ケーシングの形状を工夫した室内機が提案されている（例えば、特許文献１参照）。この特許文献１は、室内機の正面に配置される化粧パネルを、その中央を頂点として凸状に湾曲させて、室内機を壁面になじんだ形状とすることを開示する。
【先行技術文献】
【特許文献】
【０００３】
【特許文献１】特開平７−６３３６８号公報
【発明の概要】
【発明が解決しようとする課題】
【０００４】
壁面据付型の室内機の場合には、レイアウト上、室内機を部屋の隅部に据え付ける場合がある。しかしながら、室内機を持ち上げたり連絡配管を取り出したりする作業を行うための作業スペースが必要となることから、室内機を部屋の隅部の壁面に接近して配置したい場合でも、室内機の側面と当該壁面とが作業スペースの分だけ離れてしまう。この場合、作業スペースによって室内機と部屋の壁面との間隔が広くなり、室内機を設置した部屋の美観が損なわれてしまう。
【０００５】
そこで、この発明は、上記のような課題を解決するためになされたものであり、据え付け後において室内機と部屋の壁面との間の間隔を小さく見えるようにして、部屋の美観が損なわれないようにすることが可能な室内機を提供することを目的とする。
【課題を解決するための手段】
【０００６】
上記課題を解決するために、第１の発明にかかる室内機は、前面パネルが前面に配置されたケーシングを備えた室内機であって、ケーシングは、長手方向両端部に設けられ、奥側に対して手前側が長手方向外側に向かって突出する突出部を備えている。
【０００７】
この室内機では、長手方向両端部の奥側の部分と部屋の壁面との間で作業スペースを確保しながら、長手方向両端部の手前側の部分を壁面に接近して配置することが可能となる。これにより、室内機の据付時に必要となる作業スペースを確保したとしても、据付後において室内機の長手方向端部と部屋の壁面との間の間隔が小さく見えるようになるので、部屋の美観が損なわれない。
【０００８】
第２の発明にかかる室内機は、第１の発明にかかる室内機において、正面視において、突出部は、上下方向に関して、少なくとも前面パネルに対応した範囲に設けられる。
【０００９】
この室内機では、その全体が部屋の壁面に接近して配置されるように見えるので、部屋の美観が損なわれない。
【００１０】
第３の発明にかかる室内機は、第１又は第２の発明に係る室内機において、長手方向両端部にそれぞれ配置され、互いに略平行に設けられた一対の平面部を有し、突出部は、平面部と前面パネルとの間に設けられる。
【００１１】
この室内機では、突出部の後方にある作業スペースを当該突出部により隠すことができるので、部屋の美観が損なわれない。
【００１２】
第４の発明にかかる室内機は、第１〜第３のいずれかの発明にかかる室内機において、正面視において、突出部は、ケーシングの長手方向外側に向かって凸状に湾曲している。
【００１３】
この室内機は、正面から見た場合に丸みをおびた印象を与える。
【００１４】
第５の発明にかかる室内機は、第１〜第４のいずれかの発明にかかる室内機において、突出部の突出量は、前面パネルから離れるにつれて小さくなる。
【００１５】
この室内機は、斜めから見た場合にスリムな印象を与える。
【００１６】
第６の発明にかかる室内機は、第１〜第５のいずれかの発明にかかる室内機において、側面視において、突出部の奥側の端部は、前面パネルから離れる方向に向かって凸状になっている。
【００１７】
この室内機は、斜めから見た場合にスリムな印象を与える。
【００１８】
第７の発明にかかる室内機は、第１〜第６のいずれかの発明にかかる室内機において、ケーシングは、長手方向両端部に対して着脱可能な飾り板を含んでおり、飾り板は、長手方向両端部に取り付けられることで突出部となる部分を形成する。
【００１９】
この室内機では、飾り板を用いて、据付後において室内機の長手方向端部と部屋の壁面との間のスペースが小さく見えるようにすることができる。
【００２０】
第８の発明にかかる室内機は、第７の発明にかかる室内機において、ケーシングの長手方向両端部には、第１係合部が設けられていると共に、飾り板の裏面には、第１係合部に係合する第２係合部が設けられており、第１係合部と第２係合部との係合方向は、上下方向に対して傾斜している。
【００２１】
この室内機では、据付作業中などに飾り板に加わる力の方向（上下方向）に対して傾斜する方向に飾り板とケーシングとが係合するので、当該飾り板がケーシングから外れるのを防止することができる。
【発明の効果】
【００２２】
以上の説明に述べたように、本発明によれば、以下の効果が得られる。
【００２３】
第１の発明では、長手方向両端部の奥側の部分と部屋の壁面との間で作業スペースを確保しながら、長手方向両端部の手前側の部分を壁面に接近して配置することが可能となる。これにより、室内機の据付時に必要となる作業スペースを確保したとしても、据付後において室内機の長手方向端部と部屋の壁面との間の間隔が小さく見えるようになるので、部屋の美観が損なわれない。
【００２４】
また、第２の発明では、室内機の全体が部屋の壁面に接近して配置されるように見えるので、部屋の美観が損なわれない。
【００２５】
また、第３の発明では、突出部の後方にある作業スペースを当該突出部により隠すことができるので、部屋の美観が損なわれない。
【００２６】
また、第４の発明では、室内機を正面から見た場合に丸みをおびた印象を与える。
【００２７】
また、第５の発明では、室内機を斜めから見た場合にスリムな印象を与える。
【００２８】
また、第６の発明では、室内機を斜めから見た場合にスリムな印象を与える。
【００２９】
また、第７の発明では、飾り板を用いて、据付後において室内機の長手方向端部と部屋の壁面との間のスペースが小さく見えるようにすることができる。
【００３０】
また、第８の発明では、据付作業中などに飾り板に加わる力の方向（上下方向）に対して傾斜する方向に飾り板とケーシングとが係合するので、当該飾り板がケーシングから外れるのを防止することができる。
【図面の簡単な説明】
【００３１】
【図１】本発明の第１実施形態に係る室内機を備えた空気調和機の冷媒配管図である。
【図２】室内機のケーシングの斜視図である。
【図３】室内機のケーシングの正面図である。
【図４】（ａ）ケーシングの側面図、（ｂ）ケーシングから飾り板を外した状態の側面図である。
【図５】（ａ）飾り板の上面図、（ｂ）飾り板の正面図、（ｃ）飾り板の左側面図、（ｄ）飾り板の右側面図である。
【図６】室内機を部屋の隅部に配置した状態を示した模式図である。
【図７】本発明の第２実施形態に係る室内機を部屋の隅部に配置した状態を示した模式図である。
【図８】本発明の第３実施形態に係る室内機を部屋の隅部に配置した状態を示した模式図である。
【発明を実施するための形態】
【００３２】
以下、図面に基づいて、本発明に係る空気調和機の室内機の実施形態について説明する。
【００３３】
（第１実施形態）
＜空気調和機の全体構成＞
本実施形態の空気調和機１は、図１に示すように、室内に設置される室内機２と、室外に設置される室外機３と、室内機２と室外機３とを接続する接続配管４とを備えている。そして、室内機２内及び室外機３内に収納された機器・弁類と、接続配管４とが接続されて冷媒回路を構成している。冷媒回路は、主として、室内熱交換器２０、室外熱交換器３０、圧縮機３１および電動膨張弁３２により構成される。冷房運転時には、圧縮機３１から吐出された高温高圧冷媒が室外熱交換器３０に流入する。そして、室外熱交換器（凝縮器）３０で凝縮した冷媒は、電動膨張弁３２で減圧された後、室内熱交換器２０に流入する。そして、室内熱交換器（蒸発器）２０で蒸発した冷媒が、圧縮機３１の吸入側に戻る。このようにして、室内熱交換器２０の周囲の空気が冷却されて、冷風が室内に供給される。また、暖房運転時には、圧縮機３１から吐出された高温高圧冷媒が室内熱交換器２０に流入する。そして、室内熱交換器（凝縮器）２０で凝縮した冷媒は、電動膨張弁３２で減圧された後、室外熱交換器３０に流入する。そして、室外熱交換器（蒸発器）３０で蒸発した冷媒が、圧縮機３１の吸入側に戻る。このようにして、室内熱交換器２０の周囲の空気が加熱されて、温風が室内に供給される。
【００３４】
＜室外機＞
室外機３は、上記した室外熱交換器３０と、吸入した冷媒を圧縮する圧縮機３１と、室外熱交換器３０に接続された電動膨張弁３２と、室外熱交換器３０に付設される室外ファン（プロペラファン）３３と、圧縮機３１の吸入側に接続されるアキュームレータ３４と、圧縮機３１の吐出側に接続される四路切換弁３５とを備えている。また、室外機３には、接続配管４が接続される液閉鎖弁３６及びガス閉鎖弁３７が設けられている。
【００３５】
＜室内機＞
本実施形態の室内機２は、部屋の据付面に据え付けられ、上記した室内熱交換器２０と、当該室内熱交換器２０で熱交換された空気を室内に送り出すための室内ファン２１と、室内熱交換器２０や室内ファン２１を収容するケーシング５０（図２参照）とを備えている。
【００３６】
＜ケーシング＞
ケーシング５０は、図２及び図３に示すように、吸込口２ａ及び吹出口２ｂを有するベース５１と、ベース５１の前面に取り付けられる前面パネル５２と、ベース５１の右側面部５７及び左側面部５８に取り付けられる一対の飾り板５３とを含んでいる。
【００３７】
＜ベース＞
ベース５１は、天面部５４、底面部５５、前面部５６（図４参照）、右側面部５７及び左側面部５８を有しており、据付面Ｓ１（図４参照）に対向する背面部分が開口した断面略コの字形状となっている。図２に示すように、天面部５４には、室内空気をケーシング５０の内部に吸い込むための吸込口２ａが設けられており、その吸込口２ａの内部には格子状に桟５９が形成されている。底面部５５には、上記した室内熱交換器２０において熱交換された調和空気を吹き出すための略矩形状の吹出口２ｂ（図３参照）が形成されている。また、図４に示すように、前面部５６には、後述する前面パネル５２が取り付けられている。そして、図２〜図４に示すように、右側面部５７及び左側面部５８は、室内機２の長手方向（Ｘ方向）の両端にそれぞれ配置されている。図４（ｂ）に示すように、右側面部５７は、据付面Ｓ１側に配置される平面部５７ａと、前面パネル５２側に配置される飾り板取付部５７ｂとを含んでいる。また、左側面部５８も右側面部５７と同様に、平面部５８ａと飾り板取付部５８ｂとを含んでいる（図６参照）。
【００３８】
右側面部５７の平面部５７ａと左側面部５８の平面部５８ａとは、互いに略平行に設けられている。この平面部５７ａ，５８ａは、室内機２の奥行方向（Ｙ方向）に沿って延在する。また、右側面部５７の平面部５７ａ、左側面部５８の平面部５８ａ、及び、底面部５５の据付面Ｓ１側の部分（図示せず）のそれぞれの外面には、互いに平行であり且つ交互に配置される凹部と凸部とが形成されたローレット部６０が設けられている。
【００３９】
＜前面パネル＞
前面パネル５２は、図２〜図４に示すように、ベース５１の前面部５６の前面に取り付けられている。この前面パネル５２は、室内機２に搭載されるフィルタやその駆動部、及び、電装品ボックス（図示せず）等が外部から見えないようにするために設けられており、室内機２の化粧パネルとして用いられる。前面パネル５２の右側端部５２ａは、図６に示すように、ベース５１の右側面部５７（平面部５７ａ）より長手方向（Ｘ方向）の外側に向かって突出すると共に、前面パネル５２の左側端部５２ｂは、ベース５１の左側面部５８（平面部５８ａ）より長手方向（Ｘ方向）の外側に向かって突出する。そして、前面パネル５２の右側端部５２ａ及び左側端部５２ｂは、図３に示すように、正面視において、長手方向（Ｘ方向）の外側に向かって凸の円弧状に湾曲している。
【００４０】
＜飾り板＞
ここで、本実施形態では、図４に示すように、右側面部５７の飾り板取付部５７ｂ、及び、左側面部５８の飾り板取付部５８ｂのそれぞれには、一対の飾り板５３が取り付けられている。この飾り板５３は、長手方向（Ｘ方向）の外側に向かって突出した前面パネル５２の右側端部５２ａ及び左側端部５２ｂと、右側面部５７の平面部５７ａ及び左側面部５８の平面部５８ａとの間のスペースを埋めるように配置されている。なお、右側面部５７に取り付けられる飾り板５３と、左側面部５８に取り付けられる飾り板５３との構成は、左右対称であること以外は同じであるので、ここでは、右側面部５７に取り付けられる飾り板５３について説明し、左側面部５８に取り付けられる飾り板５３の説明は省略する。
【００４１】
また、本実施形態では、飾り板５３は、右側面部５７の平面部５７ａから延在する表面が形成されるように右側面部５７の飾り板取付部５７ｂに対して着脱可能に取り付けられる。そして、この飾り板５３は、奥側（据付面Ｓ１側）に対して手前側（前面パネル５２側）が長手方向外側に向かって突出しており、当該右側面部５７に対して取り付けられることで長手方向（Ｘ方向）の外側に向かって突出する突出部を形成する。そして、飾り板５３によって形成される表面は、図５（ｂ）に示すように、正面視において、長手方向（Ｘ方向）の外側に向かって凸状に湾曲している。また、飾り板５３の突出量は、前面パネル５２から奥行き方向（Ｙ方向）に離れるにつれて小さくなっている（図６参照）。つまり、飾り板５３によって形成される表面は、平面視において、前面パネル５２から奥行き方向（Ｙ方向）に離れるにつれて長手方向（Ｘ方向）の外側から内側になだらかに傾斜している。
【００４２】
そして、本実施形態では、図５（ｃ）及び（ｄ）に示すように、飾り板５３の奥側の端部５３ａは、前面パネル５２から離れる方向（Ｙ方向）に向かって凸の円弧状に形成されている。また、飾り板５３の前側の端部５３ｂも同様に、前面パネル５２から離れる方向に向かって凸の円弧状に形成されている。そして、本実施形態では、飾り板５３の奥側の端部５３ａの上下方向（Ｚ方向）の長さＬ１が、飾り板５３の前側の端部５３ｂの上下方向の長さＬ２より長くなっている。本実施形態では、飾り板５３の奥側の端部５３ａの上下方向の長さＬ１が、当該飾り板５３において最大幅となっており、その長さＬ１は、前面パネル５２の上下方向の長さＬ３（図３参照）よりも長く、且つ、ベース５１の上下方向の長さＬ４（図３及び図４参照）と略同じになっている。
【００４３】
飾り板５３の前側の端部５３ｂには、図５（ｂ）〜（ｄ）に示すように、前面パネル５２に係合する係合部５３ｃが設けられている。また、飾り板５３の右側面部５７に対向する面（以下、裏面とする）には、図５（ｃ）に示すように、７つの係合爪５３ｄが設けられている。この係合爪５３ｄは、前述した右側面部５７の飾り板取付部５７ｂに形成される係合孔５７ｃ（図４（ｂ）参照）に係合するように構成されている。本実施形態では、係合爪５３ｄと係合孔５７ｃとの係合方向は、上下方向（Ｚ方向）に対して傾斜している。具体的には、係合爪５３ｄを係合孔５７ｃのそれぞれに挿入した後、飾り板５３を水平方向（Ｙ方向）に移動させることによって、係合爪５３ｄと係合孔５７ｃとが係合するして、右側面部５７に対して飾り板５３が固定される。
【００４４】
＜本実施形態の室内機の特徴＞
第１実施形態の室内機２には、以下のような特徴がある。
【００４５】
本実施形態の室内機２では、ケーシング５０の右側面部５７及び左側面部５８のそれぞれに、互いに略平行に設けられた一対の平面部５７ａ及び５８ａを設けると共に、当該平面部５７ａ及び５８ａのそれぞれから延在する表面を形成し且つケーシング５０の長手方向（Ｘ方向）の外側に向かって突出した飾り板５３を右側面部５７及び左側面部５８に取り付けることによって、平面部５８ａと部屋の壁面Ｓ２との間で作業スペース（図６参照）を確保しながら、飾り板５３を部屋の壁面Ｓ２に接近して配置することが可能となる。これにより、室内機２の据付時に必要となる作業スペースを確保したとしても、据付後において室内機２の左側面部５８と部屋の壁面Ｓ２との間の間隔が小さく見えるようになるので（図６参照）、部屋の美観が損なわれない。
【００４６】
また、本実施形態の室内機２では、正面視において、飾り板５３を上下方向（Ｚ方向）に関して少なくとも前面パネル５２に対応した範囲に設けることによって、その全体が部屋の壁面Ｓ２に接近して配置されるように見える。
【００４７】
また、本実施形態の室内機２では、飾り板５３を平面部５７ａ及び５８ａと前面パネル５２（右側端部５２ａ及び左側端部５２ｂ）との間に設けることによって、飾り板５３の後方にある作業スペースを当該飾り板５３により隠すことができる。
【００４８】
また、本実施形態の室内機２では、正面視において、飾り板５３をケーシング５０の長手方向（Ｘ方向）の外側に向かって凸状に湾曲させることによって、室内機２を正面から見た場合に丸みをおびた印象を与える。
【００４９】
また、本実施形態の室内機２では、飾り板５３の突出量を前面パネル５２から離れるにつれて小さくすることによって、室内機２を斜めから見た場合にスリムな印象を与える。
【００５０】
また、本実施形態の室内機２では、側面視において、飾り板５３の奥側の端部５３ａを前面パネル５２から離れる方向（Ｙ方向）に向かって凸状にすることによって、室内機２を斜めから見た場合にスリムな印象を与える。
【００５１】
また、本実施形態の室内機２では、平面部５７ａ及び５８ａから延在する表面が形成されるように右側面部５７及び左側面部５８に対して着脱可能であって、右側面部５７及び左側面部５８に取り付けられることで突出部となる部分を形成する飾り板５３を用いることによって、据付後において室内機２の左側面部５８と部屋の壁面Ｓ２との間のスペースが小さく見えるようにすることができる。
【００５２】
また、本実施形態の室内機２では、ケーシング５０の右側面部５７に係合孔５７ｃを設けると共に、飾り板５３の裏面に係合孔５７ｃに係合する係合爪５３ｄを設けて、係合孔５７ｃと係合爪５３ｄとの係合方向を水平方向にすることによって、据付作業中などに飾り板５３に加わる力の方向（上下方向）に対して直交する方向に飾り板５３とケーシング５０とが係合する。これにより、当該飾り板５３がケーシング５０から外れるのを防止することができる。
【００５３】
（第２実施形態）
上記第１実施形態に係る室内機２のケーシング５０では、ベース５１と飾り板５３とが別部品であったが、この第２実施形態に係る室内機のケーシング１５０は、第１実施形態で示した飾り板に相当する部分（以下、突出部とする）をベース１５１に一体的に成形している。以下、図７を参照して、第２実施形態に係る室内機のケーシング１５０の詳細を説明する。
【００５４】
本実施形態のケーシング１５０は、ベース１５１と、ベース１５１の前面に取り付けられる前面パネル１５２とを備えている。なお、前面パネル１５２は、上記した第１実施形態の前面パネル５２と同様であるので、その説明を省略する。
【００５５】
＜ベース＞
ベース１５１は、第１実施形態のベース５１と同様に、天面部（図示せず）、底面部（図示せず）、前面部１５６、右側面部１５７及び左側面部１５８を有しており、室内機の据付面Ｓ１に対向する背面部分が開口した断面略コの字形状となっている。右側面部１５７及び左側面部１５８は、ベース１５１の長手方向（Ｘ方向）の両端部にそれぞれ配置されている。
【００５６】
右側面部１５７は、据付面Ｓ１側に配置される平面部１５７ａと、前面パネル１５２側に配置される突出部１５７ｂとを含んでいる。また、左側面部１５８も右側面部１５７と同様に、平面部１５８ａと突出部１５８ｂとを含んでいる。右側面部１５７の平面部１５７ａと、左側面部１５８の平面部１５８ａとは、共に室内機の奥行方向（Ｙ方向）に延在して略平行に設けられている。そして、本実施形態では、右側面部１５７の突出部１５７ｂは、その平面部１５７ａから延在すると共にケーシング１５０の長手方向（Ｘ方向）の外側に向かって突出している。また、左側面部１５８の突出部１５８ｂも、その平面部１５８ａから延在すると共にケーシング１５０の長手方向（Ｘ方向）の外側に向かって突出している。この突出部１５７ｂは、平面部１５７ａと前面パネル１５２の右側端部１５２ａとの間に設けられると共に、突出部１５８ｂは、平面部１５８ａと前面パネル１５２の左側端部１５２ｂとの間に設けられている。
【００５７】
また、本実施形態では、突出部１５７ｂ及び１５８ｂは、奥側（据付面Ｓ１側）に対して手前側（前面パネル５２側）が長手方向外側に向かって突出しており、突出部１５７ｂ及び１５８ｂの長手方向（Ｘ方向）の突出量は、前面パネル１５２から離れるにつれて小さくなっている。そして、突出部１５７ｂは、前面パネル１５２の右側端部１５２ａから平面部１５７ａに延在する表面が形成されるように設けられている。また、突出部１５８ｂも、前面パネル１５２の左側端部１５２ｂから平面部１５８ａに延在する表面が形成されるように設けられている。なお、図示はしないが、当該突出部１５７ｂ及び１５８ｂが、（１）正面視において、上下方向（Ｚ方向）に関して前面パネル１５２に対応した範囲に設けられること、（２）正面視において、ケーシング１５０の長手方向（Ｘ方向）の外側に向かって凸状に湾曲していること、及び、（３）側面視において、突出部１５７ｂ及び１５８ｂの据付面Ｓ１側の端部が前面パネル１５２から離れる方向に向かって凸状になっていることは、第１実施形態と同様である。
【００５８】
＜本実施形態の室内機の特徴＞
第２実施形態の室内機には、以下のような特徴がある。
【００５９】
本実施形態の室内機では、ケーシング１５０の右側面部１５７及び左側面部１５８のそれぞれに、互いに略平行に設けられた一対の平面部１５７ａ及び１５８ａと、当該平面部１５７ａ及び１５８ａのそれぞれから延在すると共に、ケーシング１５０の長手方向（Ｘ方向）の外側に向かって突出した突出部１５７ｂ及び１５８ｂとを設けることによって、平面部１５７ａ及び１５８ａと部屋の壁面Ｓ２との間で作業スペース（図７参照）を確保しながら、突出部１５８ｂを部屋の壁面Ｓ２に接近して配置することが可能となる。これにより、室内機の据付時に必要となる作業スペースを確保したとしても、据付後において室内機の左側面部１５８と部屋の壁面Ｓ２との間の間隔が小さく見えるようになるので、部屋の美観が損なわれない。
【００６０】
（第３実施形態）
上記第１実施形態及び第２実施形態に係る室内機のケーシングでは、長手方向両端部において手前側（前面パネル側）に飾り板５３や突出部１５７ｂ，１５８ｂを設ける例について説明したが、この第３実施形態では、長手方向両端部において奥行き方向の全領域に亘って飾り板２５３を設けている。以下、図８を参照して、第３実施形態に係る室内機のケーシング２５０の詳細を説明する。
【００６１】
本実施形態のケーシング２５０は、ベース２５１と、ベース２５１の前面に取り付けられる前面パネル２５２と、ベース２５１の右側面部２５７及び左側面部２５８に取り付けられる一対の飾り板２５３とを備えている。なお、前面パネル２５２は、上記した第１実施形態の前面パネル５２と同様であるので、その説明を省略する。
【００６２】
＜ベース＞
ベース２５１は、第１実施形態のベース５１と同様に、天面部（図示せず）、底面部（図示せず）、前面部２５６、右側面部２５７及び左側面部２５８を有しており、室内機の据付面Ｓ１に対向する背面部分が開口した断面略コの字形状となっている。右側面部２５７及び左側面部２５８は、ベース２５１の長手方向（Ｘ方向）の両端部にそれぞれ配置されている。
【００６３】
右側面部２５７及び左側面部２５８の各々は、室内機の奥行き方向（Ｙ方向）に延在し、互いに略平行に設けられている。この右側面部２５７及び左側面部２５８の外周面には、飾り板２５３がそれぞれ設けられている。
【００６４】
＜飾り板＞
ここで、本実施形態では、右側面部２５７及び左側面部２５８の外周面には、奥側（据付面Ｓ１側）に対して手前側（前面パネル２５２側）が長手方向（Ｘ方向）に向かって突出する飾り板２５３が設けられている。この飾り板２５３は、右側面部２５７及び左側面部２５８の外周面に対して、着脱可能となっている。飾り板２５３は、長手方向（Ｘ方向）の外側に向かって突出した前面パネル２５２の右側端部２５２ａ及び左側端部２５２ｂと、右側面部２５７の表面及び左側面部２５８の表面との間のスペースを埋めるように配置されている。この第３実施形態では、飾り板２５３は、右側面部２５７及び左側面部２５８の奥行き方向（Ｙ方向）に関して、略全範囲に設けられている。
【００６５】
そして、本実施形態では、飾り板２５３は、右側面部２５７及び左側面部２５８に対して取り付けられることで長手方向（Ｘ方向）の外側に向かって突出する突出部を形成する。また、飾り板２５３の突出量は、前面パネル２５２から奥行き方向（Ｙ方向）に離れるにつれて小さくなっている。つまり、飾り板２５３によって形成される表面は、平面視において、前面パネル２５２から奥行き方向（Ｙ方向）に離れるにつれて長手方向（Ｘ方向）の外側から内側になだらかに傾斜するテーパ面となっている。
【００６６】
＜本実施形態の室内機の特徴＞
第３実施形態の室内機には、以下のような特徴がある。
【００６７】
本実施形態の室内機では、ケーシング２５０の右側面部２５７及び左側面部２５８のそれぞれに、奥側（据付面Ｓ１側）に対して手前側（前面パネル２５２側）が長手方向外側に向かって突出するように飾り板２５３を設けることによって、飾り板２５３の奥側の部分と部屋の壁面Ｓ２との間で作業スペース（図８参照）を確保しながら、飾り板２５３の手前側の部分を部屋の壁面Ｓ２に接近して配置することが可能となる。これにより、室内機の据付時に必要となる作業スペースを確保したとしても、据付後において室内機の左側と部屋の壁面Ｓ２との間の間隔が小さく見えるようになるので、部屋の美観が損なわれない。
【００６８】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００６９】
例えば、上記実施形態では、第１実施形態の飾り板５３、第２実施形態の突出部１５７ｂ及び１５８ｂ、及び、第３実施形態の飾り板２５３の形状について詳細に説明したが、本発明はこれに限らず、ケーシングの奥側に対して手前側が長手方向外側に向かって突出していれば、その形状は第１〜第３実施形態の飾り板５３，２５３及び突出部１５７に限定されない。
【産業上の利用可能性】
【００７０】
本発明を利用すれば、据え付け後において室内機の側面と部屋の壁面との間のスペースを小さく見えるようにして、部屋の美観が損なわれないようにすることが可能な室内機を得ることができる。
【符号の説明】
【００７１】
２  室内機
５０，１５０，２５０  ケーシング
５１，１５１，２５１  ベース
５２，１５２，２５３  前面パネル
５３，２５３  飾り板（突出部）
５３ｄ  係合爪（第２係合部）
５７，１５７，２５７  右側面部
５７ａ，１５７ａ  平面部
５７ｃ  係合孔（第１係合部）
５８，１５８，２５８  左側面部
５８ａ，１５８ａ  平面部
１５７ｂ，１５８ｂ  突出部
【図１】
2011094838.tif 000003
【図２】
2011094838.tif 000004
【図３】
2011094838.tif 000005
【図４】
2011094838.tif 000006
【図５】
2011094838.tif 000007
【図６】
2011094838.tif 000008
【図７】
2011094838.tif 000009
【図８】
2011094838.tif 000010